(57)【要約】【課題】簡単かつ安価な構成で、既存の固定電話機を改造することなく、携帯電話機用などのブルーツース通信モジュールを使用可能にする。【解決手段】イヤフォン信号に関しては、端子３１２が本体部切換スイッチ３９１の共通端子に接続されている。マイク信号に関しては、端子３１１が切換スイッチ３４１の一方の切換端子に接続され、端子３３１が増幅回路３７及びトランス３６Ｍを介して切換スイッチ３４１の他方の切換端子に接続され、切換スイッチ３４１の共通端子が、本体部切換スイッチ３９１の共通端子に接続されている。増幅回路３７の電源配線には、電源ユニット３５の出力が切換スイッチ３４２を介して供給される。切換スイッチ３９１及び３９２により、コンピュータ４０を用いたソフトフォンにも受話器２１とヘッドセット１５を選択的に使用可能にする。【選択図】図３
0003111103.tif 000002
【実用新案登録請求の範囲】
【請求項１】
ブルーツース通信モジュールで受信し復元されたマイク信号が供給される第１端子と、該ブルーツース通信モジュールに送信用イヤホン信号を供給する第２端子とを有する第１ジャックと、
受話器に一端が接続されたモジュラーケーブルの他端が接続される第１モジュラージャックと、
固定電話機本体に一端が接続されたモジュラーケーブルの他端が接続される第２モジュラージャックと、
入力端が該第１端子に接続された増幅回路と、
該増幅回路の出力が１次側コイルに供給される第１トランスと、
該第１モジュラージャックのマイク信号端子又は該第１トランスの２次側コイルからのマイク信号を選択的に切り換えて該第２モジュラージャックのマイク信号端子に供給する受話部切換スイッチ手段と、
該第２端子に１次側コイルが接続され、該第２モジュラージャックのイヤホン信号端子に２次側コイルが接続された第２トランスと、
該第１モジュラージャックのイヤホン信号端子と該第２モジュラージャックのイヤホン信号端子との間に接続されたイヤホン信号配線と、
を有することを特徴とする固定電話機用ハンズフリー切換アダプタ。
【請求項２】
該受話部切換スイッチ手段はさらに、該第１モジュラージャックのマイク信号端子からのマイク信号を該第２モジュラージャックのマイク信号端子に供給するための切換と同時に該増幅回路の電源をオンにし、該第１トランスの２次側コイルからのマイク信号を該第２モジュラージャックのマイク信号端子に供給するための切換と同時に該増幅回路の電源をオフにし、
該増幅回路の電源がオンの間のみ発光用電圧が印加されるホトダイオードをさらに有することを特徴とする請求項１記載の固定電話機用ハンズフリー切換アダプタ。
【請求項３】
コンピュータのマイク信号端子に接続される第３電極と該コンピュータのイヤホン信号端子に接続される第４電極とを有する第２ジャックと、
該第２モジュラージャックのマイク信号電極と該受話部切換スイッチ手段の共通電極との間を導通させるとともに該第２モジュラージャックのイヤホン信号電極と該第１モジュラージャックのイヤホン信号電極との間を導通させる第１の接続と、該第３電極と該受話部切換スイッチ手段の共通電極との間を導通させるとともに該第４電極と該第１モジュラージャックのイヤホン信号電極との間を導通させる第２の接続とを選択的に切り換える本体部切換スイッチ手段と、
をさらに有することを特徴とする請求項１又は２記載の固定電話機用ハンズフリー切換アダプタ。
【請求項４】
モジュラーケーブルの一端が接続される受話器と、
該モジュラーケーブルの他端が接続されるモジュラージャックと、該受話器にイヤホン信号を出力するための本体イヤホン信号端子と、該受話器からのマイク信号を入力するための本体マイク信号端子とを有する電話機本体と、
を備えた固定電話機において、該電話機本体はさらに、
ブルーツース通信モジュールで受信し復元されたマイク信号が供給される第１端子と、該ブルーツース通信モジュールに送信用イヤホン信号を供給する第２端子とを有するジャックと、
入力端が該第１端子に接続された増幅回路と、
該増幅回路の出力が１次側コイルに供給される第１トランスと、
該モジュラージャックのマイク信号端子又は該第１トランスの２次側コイルからのマイク信号を選択的に切り換えて該本体マイク信号端子に供給する受話部切換スイッチ手段と、
該第２端子に２次側コイルが接続され、該第本体イヤホン信号端子に１次側コイルが接続された第２トランスと、
該モジュラージャックのイヤホン信号端子と該本体イヤホン信号端子との間に接続されたイヤホン信号配線と、
を有することを特徴とする固定電話機。
【考案の詳細な説明】
【技術分野】
【０００１】
本考案は、固定電話機用ハンズフリー切換アダプタ及びその機能を備えた固定電話機に関する。
【背景技術】
【０００２】
図６は、携帯電話機１０にブルーツース通信モジュール１１（Ｂｌｕｅｔｏｏｔｈは登録商標）を接続して、このブルーツース通信モジュール１１（マスタトランシーバ）とヘッドセット１５に内蔵されたブルーツース通信モジュール（スレーブトランシーバ）との間で近距離無線通信を行う従来の携帯電話機ハンズフリー通話システムを示す（下記特許文献１）。
【０００３】
このシステムでは、ブルーツース通信モジュール１１に接続されたコード１２の先端部の３極プラグ１３を、携帯電話機１０のイヤフォンマイクジャック１４に差し込むことにより、携帯電話機１０からの音声信号をブルーツース通信モジュール１１で、デジタル信号に変換しパケット化しバイナリＦＭ変調して無線送信し、ブルーツース通信モジュール１１で、電波を受信し復調しパケットからペイロードを取り出しアナログ変換して、音声信号を携帯電話機１０に供給することが可能となる。
【０００４】
ヘッドセット１５は、一端にイヤフォンを備え、他端にマイクを備えており、両者の間の屈曲部を利用者１６の耳１７に掛止させることにより、ハンズフリー通話が可能となる。
【０００５】
ヘッドセット１５には小形電池が内蔵されており、ヘッドセット１５の消費電力低減のため、通話時以外はスタンバイモードにされる。携帯電話機１０に電話がかかってくると、利用者１６が携帯電話機１０の通話開始ボタンを押し、さらにヘッドセット１５の１５Ａを押してスタンバイモードを通話モードに切り換えることにより、通話が可能となる。電話を切るときには、携帯電話機１０の通話終了ボタンを押し、さらにヘッドセット１５の１５Ａを押してヘッドセット１５をスタンバイモードに切り換える。
【０００６】
通常の親機／子機シムテムと異なり携帯電話機１０でのボタン操作が必要になるものの、このようなヘッドセット１５は、装着に違和感が無く、移動したり作業しながら通話することができるので、固定電話機においても同様に使用することができれば便利である。
【特許文献１】特開２００２−０８４３６１号公報
【考案の開示】
【考案が解決しようとする課題】
【０００７】
しかしながら、市販の固定電話機にはブルーツース通信モジュール１１を接続することができない。
【０００８】
上記特許文献１には固定電話機を用いたハンズフリー通話システムが開示されているが、通常の親機と子機（ハンドフォン）の通信方式の親機側構成を親機内に備えるものであり、携帯電話機１０にも利用可能な安価なブルーツース通信モジュール１１を用いるものではない。
【０００９】
また、市販の固定電話機を用いることができず、そのような機能を備えた固定電話機を新たに製造する必要がある。
【００１０】
さらに、無線通信装置を固定電話機内に備えているので固定電話機が高価となり、メーカはこれに対処するため、無線通信装置を備えたモデルと備えないモデルの両方を製造する必要がある。
【００１１】
本考案の目的は、本考案者による上記考察に鑑み、既存の固定電話機を改造することなく、携帯電話機用などのブルーツース通信モジュールを使用可能な、構成が簡単で安価な固定電話機用ハンズフリー切換アダプタを提供することにある。
【００１２】
本考案の他の目的は、簡単な構成を付加することによりハンズフリー無線通話に対応可能な固定電話機を提供することにある。
【課題を解決するための手段】
【００１３】
本考案による固定電話機用ハンズフリー切換アダプタの第１態様では、
ブルーツース通信モジュールで受信し復元されたマイク信号が供給される第１端子（３３１）と、該ブルーツース通信モジュールに送信用イヤホン信号を供給する第２端子（３３２）とを有する第１ジャック（１３）と、
受話器に一端が接続されたモジュラーケーブルの他端が接続される第１モジュラージャック（３１）と、
固定電話機本体に一端が接続されたモジュラーケーブルの他端が接続される第２モジュラージャック（３２）と、
入力端が該第１端子に接続された増幅回路（３７）と、
該増幅回路の出力が１次側コイルに供給される第１トランス（３６Ｍ）と、
該第１モジュラージャックのマイク信号端子（３１１）又は該第１トランスの２次側コイルからのマイク信号を選択的に切り換えて該第２モジュラージャックのマイク信号端子（３２１）に供給する受話部切換スイッチ手段（３４）と、
該第２端子に１次側コイルが接続され、該第２モジュラージャックのイヤホン信号端子に２次側コイルが接続された第２トランス（３６Ｅ）と、
該第１モジュラージャックのイヤホン信号端子と該第２モジュラージャックのイヤホン信号端子との間に接続されたイヤホン信号配線とを有する。
【００１４】
本考案による固定電話機用ハンズフリー切換アダプタの第２態様では、上記第１態様において、該受話部切換スイッチ手段（３４）はさらに、該第１モジュラージャックのマイク信号端子からのマイク信号を該第２モジュラージャックのマイク信号端子に供給するための切換と同時に該増幅回路の電源をオンにし、該第１トランスの２次側コイルからのマイク信号を該第２モジュラージャックのマイク信号端子に供給するための切換と同時に該増幅回路の電源をオフにし、
該増幅回路の電源がオンの間のみ発光用電圧が印加されるホトダイオード（３４ａ）をさらに有する。
【００１５】
本考案による固定電話機用ハンズフリー切換アダプタの第３態様では、上記第１又は第２態様において、
コンピュータのマイク信号端子に接続される第３電極（４２１）と該コンピュータのイヤホン信号端子に接続される第４電極（４２２）とを有する第２ジャック（４２１、４２２）と、
該第２モジュラージャックのマイク信号電極と該受話部切換スイッチ手段の共通電極との間を導通させるとともに該第２モジュラージャックのイヤホン信号電極と該第１モジュラージャックのイヤホン信号電極との間を導通させる第１の接続と、該第３電極と該受話部切換スイッチ手段の共通電極との間を導通させるとともに該第４電極と該第１モジュラージャックのイヤホン信号電極との間を導通させる第２の接続とを選択的に切り換える本体部切換スイッチ手段（３９１、３９２）とをさらに有する。
【考案の効果】
【００１６】
上記第１態様によれば、簡単かつ安価な構成で、既存の固定電話機を改造することなく、携帯電話機用などのブルーツース通信モジュールを使用して、ハンズフリー無線通話を実現できる。
【００１７】
上記第２態様の構成によれば、ブルーツース通信モジュールを使用するときのみ増幅回路が動作するので、消費電力の無駄が省かれる。また、増幅回路が動作状態のときのみ発光ダイオードが発光するので、ブルーツース通信モジュール側に切り替わっていることを容易に確認することができる。
【００１８】
上記第３態様の構成によれば、簡単な構成を追加することにより、ソフトフォン（ＰＣフォン）でも受話器とヘッドセットとを選択的に有効利用することが可能となる。
【００１９】
本考案の他の目的、構成及び効果は以下の説明から明らかになる。
【考案を実施するための最良の形態】
【００２０】
以下、図面を参照して本考案の実施例を説明する。
【実施例１】
【００２１】
図１は、本考案の実施例１に係るハンズフリー無線通話システムの概略構成を示す。
【００２２】
ブルーツース通信モジュール１１及びヘッドセット１５は図６に記載のものと同一であって、市販品である。例えば、ブルーツース通信モジュール１１はＪＡＢＲＡ社製の型式Ａ２１０であり、ヘッドセット１５は同じくＪＡＢＲＡ社製の型式ＢＴ２００である。固定電話機本体２０は、ブルーツース通信機能を備えていない構成であればよく、不図示の子機ハンドフォンとの間で無線通信可能な構成であってもよい。
【００２３】
受話器２１のモジュラージャック２２には、モジュラーコード２３の一端のモジュラープラグ２４が差し込まれている。固定電話機本体２０を通常の電話機としてのみ使用する場合には、モジュラーコード２３の他端に接続されたモジュラープラグ２５を、固定電話機本体２０のモジュラージャック２７に差し込めばよい。固定電話機本体２０を改造せずにブルーツース通信モジュール１１を使用可能にするため、固定電話機本体２０とブルーツース通信モジュール１１との間に、ハンズフリー切換アダプタ３０が接続されている。
【００２４】
ハンズフリー切換アダプタ３０は、モジュラージャック３１及び３２を備え、モジュラージャック３１にはモジュラープラグ２５が差し込まれ、モジュラージャック３２には、モジュラーコード２６の一端に接続されたモジュラープラグ２８が差し込まれている。モジュラーコード２６の他端に接続されたモジュラープラグ２９は、固定電話機本体２０のモジュラージャック２７に差し込まれている。
【００２５】
ハンズフリー切換アダプタ３０はまた、３極プラグ１３が差し込まれるイヤフォンマイクジャック３３を備えている。ハンズフリー切換アダプタ３０はさらに、受話器２１とヘッドセット１５とに選択的に切り換えるための受話部切換スイッチ３４を備えている。ヘッドセット１５に切り換えられていることを確認できるようにするため、受話部切換スイッチ３４の透明ノブには発光ダイオード３４ａが内蔵されている。
【００２６】
図２は、試作したハンズフリー切換アダプタ３０の回路構成を、他の要素とともに示す図である。
【００２７】
ブルーツース通信モジュール（マスタトランシーバ）１１は、図６に示す構成などで使用される市販品であり、これに小形バッテリーが内蔵されている。これに対し、ハンズフリー切換アダプタ３０は固定電話機本体２０に接続して使用されるので、ハンズフリー切換アダプタ３０には電源ユニット３５が接続されている。電源ユニット３５は、プラグ３５ａを介して供給されるＡＣ１００Ｖを、ハンズフリー切換アダプタ３０内の増幅回路３７用の直流電圧に変換するためのものである。
【００２８】
図２において、３桁の符号で示す構成要素は、その頭から２桁の符号で示す図１中の構成の要素であり、例えば電極１３１及び１３２は図１中の３極プラグ１３の構成要素であり、ｃ接点３４１及び３４２は図１中の受話部切換スイッチ３４の構成要素である。
【００２９】
また、図２では簡単化のため、グランド線が図示省略されている。プラグ１３は３極であり、マイク信号電極１３１及びイヤフォン信号電極１３２とグランド電極とを備えている。これに対し、モジュラープラグ２５は４極であり、マイク信号電極２５１及びイヤフォン信号電極２５２と、電極２５１に対するグランド電極と、電極２５２に対するグランド電極とを備えている。同様に、モジュラープラグ２８及び２９も４極である。電極１３１、１３２、２５１、２５２、２８１及び２８２はそれぞれ、ハンズフリー切換アダプタ３０に備えられたジャックの端子３３１、３３２、３１１、３１２、３２１及び３２２に接続される。端子３１１、３２１及び３３１はマイク信号用であり、これに対し端子３１２、３２２及び３３２はイヤフォン信号用である。
【００３０】
電極２５１及び２５２のそれぞれに対するグランド電極の電位が異なることと、ブルーツース通信モジュール１１と受話器２１とで入出力電圧が異なることから、ハンズフリー切換アダプタ３０はトランス３６Ｍ、３６Ｅ及び増幅回路３７を備えている。
【００３１】
イヤフォン信号端子３２２は配線で直接、イヤフォン信号端子３１２に接続され、この配線はトランス３６Ｅを介してイヤフォン信号端子３３２に接続されている。これにより、イヤフォン信号に関しては、切り換えられることなく、ブルーツース通信モジュール１１及び受話器２１に供給される。
【００３２】
これに対しマイク信号に関しては、端子３１１がｃ接点３４１の一方の切換端子に接続され、端子３３１が増幅回路３７及びトランス３６Ｍを介してｃ接点３４１の他方の切換端子に接続されている。ｃ接点３４１の共通端子は、マイク信号端子３２１に接続されている。増幅回路３７は、半固定調整ねじ３８を回すこにより、そのゲインを調整可能となっている。
【００３３】
増幅回路３７の電源配線には、電源ユニット３５の出力がｃ接点３４２を介して供給されている。ｃ接点３４２はｃ接点３４１と連動しており、ｃ接点３４１がトランス３６Ｍ側に切り換えられているときのみｃ接点３４２が増幅回路３７側に切り換えられて、増幅回路３７が動作状態になる。
【００３４】
これにより、ブルーツース通信モジュール１１を使用するときのみ増幅回路３７が動作するので、消費電力の無駄が省かれる。また、増幅回路３７の電源配線とグランドとの間に発光ダイオード３４ａが順方向接続されているので、増幅回路３７が動作状態のとき発光ダイオード３４ａが発光し、受話部切換スイッチ３４がブルーツース通信モジュール１１側に切り替わっていることを確認することができる。
【００３５】
次に、上記の如く構成された本実施例１の動作を説明する。
【００３６】
図１に示す接続状態で、受話部切換スイッチ３４が図２に示す切換状態となっていて、増幅回路３７がオフで固定電話機本体２０が受話器２１側に接続されているとする。また、ヘッドセット１５がスタンバイモードになっているとする。
【００３７】
電話がかかってきたとき、利用者１６は受話器２１を取り上げることにより、受話器２１で通話をすることができる。この際、イヤフォン信号がトランス３６Ｅを介してブルーツース通信モジュール１１に伝わるので、ヘッドセット１５を耳１７に掛止させてスイッチ１５ａを押せば、ヘッドセット１５が通話モードに切り替わってヘッドセット１５でも聞くことができる。しかし、ヘッドセット１５のマイクは無効である。
【００３８】
この状態で受話部切換スイッチ３４を切換えて発光ダイオード３４ａを点灯させると、トランス３６Ｍの２次側コイルが端子３２１に導通するので、ヘッドセット１５のマイクが有効になる。この場合も受話器２１で相手の声を聞くことは可能である。
【００３９】
電話を切るときには、利用者１６は受話器２１を固定電話機本体２０上にフックさせ、スイッチ１５ａを押してヘッドセット１５をスタンドバイ状態にする。
【００４０】
ヘッドセット１５を用いて電話をかけるときには、受話器２１を取り上げて固定電話機本体２０で相手方の電話番号を押し、受話部切換スイッチ３４をブルーツース通信モジュール１１側に切り換えるとともに、スイッチ１５ａ押してヘッドセット１５を通話モードにする。
【００４１】
本実施例１では、固定電話機本体２０を改造することなく、携帯電話機１０用のブルーツース通信モジュール１１をハンズフリー切換アダプタ３０に接続し、ハンズフリー切換アダプタ３０を固定電話機本体２０に接続することにより、固定電話機本体２０に対してもブルーツース通信モジュール１１を使用することが可能となり、かつ、ハンズフリー切換アダプタ３０の構成が簡単であるので、固定電話機本体２０を用いたハンズフリー無線通話システムを安価に構成できるとともに、ブルーツース通信モジュール１１を有効利用することができる。
【００４２】
なお、ブルーツース通信モジュール１１及びヘッドセット１５には、その他の設定ボタンや表示発光ダイオードが設けられ、これらに関係したデータ通信も行われるが、これらについては本考案とは直接関係がないのでその説明を省略した。
【実施例２】
【００４３】
図３は、本考案の実施例２に係るハンズフリー切換アダプタ３０Ａの回路構成を、他の要素とともに示す図である。
【００４４】
この実施例２では、コンピュータ４０を用いたソフトフォン（ＰＣフォン）にも受話器２１とヘッドセット１５を選択的に使用可能にするためさらに、ｃ接点３９１及び３９２を有する本体部切換スイッチと、２極のマイクジャック４２１及びイヤフォンジャック４２２とを、ハンズフリー切換アダプタ３０Ａに備えている。マイクジャック４２１及びイヤフォンジャック４２２はそれぞれ、コード４３１及び４３２を介してコンピュータ４０のマイクジャック４１１及びイヤフォンジャック４１２に差し込まれる。
【００４５】
この構成の場合、ダイヤリングは、コンピュータ４０にインストールされたＩＰ電話ソフトとキーボード又はマウス等の入力装置との組み合わせにより行う。
【００４６】
本実施例２では、図２のハンズフリー切換アダプタ３０に切換スイッチとジャックとを追加した簡単な構成により、ソフトフォンでも受話器２１とヘッドセット１５とを選択的に有効利用することが可能となる。
【実施例３】
【００４７】
図４は、本考案の実施例３に係るハンズフリー無線通話システムの概略構成を示す。
【００４８】
この実施例３では、図３に示すハンズフリー切換アダプタ３０Ａを図１の固定電話機本体２０内に内蔵して図４の固定電話機本体２０Ａを構成している。ブルーツース通信モジュール１１は固定電話機本体２０Ａに内蔵されず、固定電話機本体２０Ａに備えられたイヤフォンマイクジャック３３にブルーツース通信モジュール１１がコード１２及び３極プラグ１３を介して接続される。受話部切換押しボタンスイッチ３４Ａ及び本体部切換押しボタンスイッチ３９Ａはそれぞれ、不図示のフリップフロップ回路等の記憶部との組み合わせで切換状態を記憶して、図５中のｃ接点３４１、３４２及び３９１、３９２の機能を果たすものである。
【００４９】
図５は、固定電話機本体２０Ａの回路構成を、これに接続される構成とともに示す。
【００５０】
図５中の固定電話機本体２０Ａは、図１の固定電話機本体２０の回路構成と同一である。
【００５１】
本実施例３によれば、電話機メーカーは固定電話機本体２０Ａのみ製造して、ブルーツース通信モジュール１１が使用可能であることを保証すればよいので、トータルコストを削減して固定電話機本体２０Ａを安価に提供することができる。
【００５２】
また、ブルーツース通信モジュール１１が固定電話機本体２０Ａの外付けであることと、ブルーツース通信モジュール１１は図６に示すような携帯電話機等のみならず、音楽プレーヤやトランシーバ等の他の用途にも用いることができることから、ブルーツース通信モジュール１１の購入動機が多く、固定電話機本体２０Ａでブルーツース通信モジュール１１を有効利用できる機会が多い。
【００５３】
さらに、図３のハンズフリー切換アダプタ３０Ａが固定電話機本体２０Ａに内蔵されているので、見栄えがよい。
【００５４】
なお、本考案には外にも種々の変形例が含まれる。例えば、切換スイッチ手段は切換スイッチに限定されず、自動復帰スイッチとフリップフロップ等の状態記憶手段との組み合わせで構成してもよいことは勿論である。
【図面の簡単な説明】
【００５５】
【図１】本考案の実施例１に係るハンズフリー無線通話システムの概略構成を示す図である。
【図２】図１中の、試作したハンズフリー切換アダプタ３０の回路構成を、他の要素とともに示す図である。
【図３】本考案の実施例２に係るハンズフリー切換アダプタ３０Ａの回路構成を、他の要素とともに示す図である。
【図４】本考案の実施例３に係るハンズフリー無線通話システムの概略構成を示す図である。
【図５】図４中の固定電話機本体２０Ａの回路構成を、これに接続される構成とともに示す図である。
【図６】従来の携帯電話機ハンズフリー通話システムの概略構成を示す図である。
【符号の説明】
【００５６】
１０  携帯電話機
１１  ブルーツース通信モジュール
１２、４３１、４３２  コード
１３  ３極プラグ
１３１、１３２、２５１、２５２、２８１、２８２、２９１、２９２、電極
３１１、３１２、３２１、３２２、３３１、３３２  端子
１４、３３  イヤフォンマイクジャック
１５  ヘッドセット
１５ａ  スイッチ
１６  利用者
１７  耳 
２０、２０Ａ  固定電話機本体
２１  受話器
２２、２７、３１、３２、４１、４２  モジュラージャック
２３、２６  モジュラーコード
２４、２５、２８、２９  モジュラープラグ
２６１、２６２  配線
３０  ハンズフリー切換アダプタ
３４、３４Ａ  受話部切換スイッチ
３４１、３４２、３９１、３９２  ｃ接点
３４ａ  発光ダイオード
３５  電源ユニット
３５ａ  プラグ
３６Ｍ、３６Ｅ  トランス
３７  増幅回路  
３８  ゲイン調整用ねじ
３９、３９Ａ  本体部切換スイッチ
４０  コンピュータ
４１１、４２１  マイクジャック
４１２、４２２  イヤフォンジャック
【図１】
0003111103.tif 000003
【図２】
0003111103.tif 000004
【図３】
0003111103.tif 000005
【図４】
0003111103.tif 000006
【図５】
0003111103.tif 000007
【図６】
0003111103.tif 000008